(57)【要約】【課題】  本発明は、ディスク再生装置において、音飛びなど再生音の不具合を少なくすることを目的とする。【解決手段】  メモリコントローラ１１は、メモリ９にデジタルデータを書き込んだ直後に、その書き込んだデジタルデータを読み出し、書き込んだデジタルデータと読み出したデジタルデータに誤りがあれば、制御部１０へ誤りがあることを通知し、制御部１０は、メモリコントローラ１１からの通知を受け、誤りのあったデジタルデータを再度取得するようメモリコントローラ１１に指示する。【選択図】図２
2012133845.tif 000002
【特許請求の範囲】
【請求項１】
ディスクからデジタルデータを取得するピックアップと、このピックアップへの前記デジタルデータの取得指示と、前記デジタルデータのメモリへの書き込み、および読み出しを行うメモリコントローラと、前記デジタルデータを再生部へ出力するよう前記メモリコントローラへ指示する制御部を備え、
前記メモリコントローラは、前記メモリに前記デジタルデータを書き込んだ直後に、その書き込んだデジタルデータを読み出し、書き込んだデジタルデータと読み出したデジタルデータに誤りがあれば、前記制御部へ誤りがあることを通知し、
前記制御部は、前記メモリコントローラからの通知を受け、誤りのあったデジタルデータを再度取得するよう前記メモリコントローラへ指示するディスク再生装置。
【請求項２】
前記制御部は、再度取得したデジタルデータと前記メモリに保持するデジタルデータとを接続するよう前記メモリコントローラに指示することを特徴とする請求項１に記載のディスク再生装置。
【請求項３】
前記メモリコントローラは、書き込んだデジタルデータと読み出したデジタルデータに誤りがあれば、その誤りがあったデジタルデータの情報を保持することを特徴とする請求項１に記載のディスク再生装置。
【発明の詳細な説明】
【技術分野】
【０００１】
本発明は、ショックプルーフメモリを備えたディスク再生装置に関するものである。
【背景技術】
【０００２】
光ディスクから取得したデジタルデータをメモリに一時蓄積し、このメモリに蓄積したデジタルデータを再生するショックプルーフ機能を備えたディスク再生装置がある。このショックプルーフ機能を備えることにより、振動やデータ読み込み失敗による再生音の不具合（音飛びなど）を低減することができる。
【０００３】
上記メモリとして、ＤＲＡＭ（Ｄｙｎａｍｉｃ  Ｒａｎｄｏｍ  Ａｃｃｅｓｓ  Ｍｅｍｏｒｙ）を用い、メモリ内部の故障したアドレスには書き込みをしないようにするものが知られている（例えば、特許文献１参照）。
【先行技術文献】
【特許文献】
【０００４】
【特許文献１】特開２０００−２２８０６７号公報
【発明の概要】
【発明が解決しようとする課題】
【０００５】
上記従来例における課題は、外部からの電気的ノイズなどで起きるメモリへの書き込みや読み出しの際に、デジタルデータに異常が生じれば、以前として音飛びなど再生音に不具合が発生すると言うことである。
【０００６】
すなわち、メモリ内部の異常なアドレスを使用しなかったとしても、書き込んだデジタルデータに異常があれば、そのデータを読み出して再生すれば、音飛びなど再生音に不具合が生じてしまう。
【０００７】
そこで、本発明は、外部からの電気的ノイズなどにより、デジタルデータに異常が生じても、音飛びなど再生音の不具合を少なくすることを目的とするものである。
【課題を解決するための手段】
【０００８】
そして、この目的を達成するために本発明は、メモリコントローラは、メモリにデジタルデータを書き込んだ直後に、その書き込んだデジタルデータを読み出し、書き込んだデジタルデータと読み出したデジタルデータに誤りがあれば、制御部へ誤りがあることを通知し、制御部は、メモリコントローラからの通知を受け、誤りのあったデジタルデータを再度取得するようメモリコントローラに指示することを特徴とし、これによって所期の目的を達成するものである。
【発明の効果】
【０００９】
以上のように本発明は、メモリへのデータの書き込みや読み出しの際に、デジタルデータに異常が生じれば、光ディスクから再度デジタルデータを取得するので、音飛びなど再生音の不具合を少なくすることができる。
【図面の簡単な説明】
【００１０】
【図１】本発明の実施形態にかかるディスク再生装置を搭載した車内の正面側の斜視図
【図２】同ディスク再生装置のブロック図
【図３】図ディスク再生装置のショックプルーフ機能の処理を示すフローチャート
【発明を実施するための形態】
【００１１】
（実施の形態１）
以下、本発明の実施の形態１を、添付図面を用いて説明する。
【００１２】
図１は、車両の車内１を示し、そのフロント部分には、ハンドル２が設けられ、またこのハンドル２の側方のコンソールボックス３部分には車載用電子機器４が設置されている。
【００１３】
車載用電子機器４は、図２に示すディスク再生装置５（ＣＤプレーヤが代表的な例である）を内蔵している。
【００１４】
ディスク再生装置５は、光ディスク６からデータを取得するピックアップ７と、ピックアップ７が取得したデータをデジタルデータへ変換し、メモリ９へデジタルデータを書き込み、および読み込みをするＩＣ８を有する。また、デジタルデータを一時保持するメモリ９と、ＩＣ８やＩＣ８を経由してピックアップ７などを制御し、ショックプルーフ機能を実現する制御部１０を有する。
【００１５】
なお、ショックプルーフ機能とは、振動や傷などで光ディスク６からデータが読めなくなった場合などに備え、メモリ９に一定量のデジタルデータを保持しておく仕組みである。
【００１６】
次に、各構成について説明する。
【００１７】
ＩＣ８は、ピックアップ７が取得したデータをデジタルデータへ変換する信号処理部１２と、メモリ９へのデジタルデータの書き込み、および読み込みを制御するメモリコントローラ１１で構成される。このメモリコントローラ１１は、メモリ９へ書き込む前のデジタルデータ、およびメモリ９から読み込んだデジタルデータを保持するチェックブロック１１ａを有する。また、メモリコントローラ１１は、制御部１０の指示により、デジタルデータを再生部１３へ出力する機能も有する。
【００１８】
再生部１３は、デジタルデータを再生するもので、デジタルデータをアナログ信号へ変換するＤＡＣ１４と、アナログ信号を増幅するアンプ１５と、スピーカ１６を有する。
【００１９】
ピックアップ７は、光ディスク６からデジタルデータを読み取る光ピックアップ１７と、光ディスク６を回転駆動するスピンドルモータ１８と、光ピックアップ１７とスピンドルモータ１８に駆動信号を与えるドライバ１９を有する。
【００２０】
以上のような構成において、ショックプルーフ機能の再生手順を図３のフローチャートを用いて説明する。
【００２１】
まず、制御部１０は、光ディスク６から目標位置（例えば曲の先頭など）のデジタルデータを読み取るため、ピックアップ７に移動の指示をする（ステップ１）。そして、ピックアップ７は、光ピックアップ１７が取得したデジタルデータをＩＣ８へ出力する。
【００２２】
次に、制御部１０は、光ピックアップ１７が出力したデジタルデータをメモリ９へ書き込むようメモリコントローラ１１に指示する。すると、メモリコントローラ１１は、チェックブロック１１ａに書き込みアドレスと書き込み前のデジタルデータを保持する。その後、メモリコントローラ１１は、チェックブロック１１ａの書き込み前のデジタルデータ
をメモリ９へ書き込む（ステップ２）。
【００２３】
ステップ３では、メモリコントローラ１１は、メモリ９への書き込みが正常に終了したか確認する。具体的には、メモリコントローラ１１は、メモリ９へデジタルデータを書き込んだ直後に、メモリ９からその書き込んだデジタルデータを読み出し、チェックブロック１１ａに保持する。そして、メモリコントローラ１１は、書き込み前のデジタルデータと書き込んだ直後に読み出したデジタルデータを比較する。メモリコントローラ１１は、比較結果が同じであれば、書き込みが正常終了したと判断しステップ４へ進み、そうでなければ異常終了したと判断しステップ６へ進む。
【００２４】
ステップ４では、制御部１０は、書き込みが異常終了した位置より手前へピックアップ７を移動させ、書き込みが異常終了したデジタルデータを再度読み取るようメモリコントローラ１１へ指示する。このとき、メモリコントローラ１１は、メモリ９へのデジタルデータの書き込みを中断する。そして、メモリコントローラ１１は、再度取得したデジタルデータをメモリ９に保持するデジタルデータと接続する（ステップ５）。なお、デジタルデータの接続は、アドレスを使うことにより可能である。
【００２５】
ステップ６では、メモリコントローラ１１は、メモリ９へのデジタルデータの書き込みを継続する。以上で処理フローを終了する。
【００２６】
なお、書き込みが異常終了したデジタルデータの情報をチェックブロック１１ａに保持しておくようにしても良い。
【００２７】
これは、外部からの電気的ノイズなどでデータ異常が発生した場合などに、このような書き込み異常が起こる。しかし、光ディスク６の傷やメモリ９の不良によるデータ異常であれば再現確認が可能であるが、外部からの電気的ノイズなどによるデータ異常は、次々のデータを書き換えるため、再現確認が非常に困難である。
【００２８】
したがって、書き込みが異常終了したデジタルデータの情報を保存しておくことにより、音飛びの発生が再現性のあるものかそうでないものかを判断する助けとすることができる。
【００２９】
以上のように本発明は、メモリへのデータの書き込みや読み出しの際に、デジタルデータに異常が生じれば、光ディスクから再度デジタルデータを取得するので、音飛びなど再生音の不具合を少なくすることができる。
【産業上の利用可能性】
【００３０】
以上のように本発明は、メモリコントローラは、メモリにデジタルデータを書き込んだ直後に、その書き込んだデジタルデータを読み出し、書き込んだデジタルデータと読み出したデジタルデータに誤りがあれば、前記制御部へ誤りがあることを通知し、制御部は、メモリコントローラからの通知を受け、誤りのあったデジタルデータを再度取得するようメモリコントローラへ指示するので、その結果として音飛びなど再生音の不具合を少なくすることができ、使い勝手の良いものとなるのである。
【００３１】
したがって、車載用電子機器として広く活用されるものとなる。
【符号の説明】
【００３２】
１  車両の車内
２  ハンドル
３  コンソールボックス
４  車載用電子機器
５  ディスク再生装置
６  光ディスク
７  ピックアップ
８  ＩＣ
９  メモリ
１０  制御部
１１  メモリコントローラ
１２  信号処理部
１３  再生部
１４  ＤＡＣ
１５  アンプ
１６  スピーカ
１７  光ピックアップ
１８  スピンドルモータ
１９  ドライバ
【図１】
2012133845.tif 000003
【図２】
2012133845.tif 000004
【図３】
2012133845.tif 000005